【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
長さと前方端部と後部を有するディジタルデータのパケットを最初に２つの部分に分割しないで、前記ディジタルデータのパケットを、前方端部から後部へ、および後部から前方端部への順序で同時に送信する、ディジタルデータを送信する第１の方法と、
長さと前方端部と後部を有するディジタルデータのパケットを最初に２つの部分に分割しないで、前記ディジタルデータのパケットを、前方端部から後部へ、および後部から前方端部への順序で同時に送信し、
第１の装置は、前記データを、前方端部から後部への順序で第３の装置に送信し、第２の装置は、同じ前記データを、後部から前方端部への順序で前記第３の装置に送信する、ディジタルデータを送信する第２の方法と、
長さと前方端部と後部を有するディジタルデータのパケットを最初に２つの部分に分割しないで、前記ディジタルデータのパケットを、前方端部から後部へ、および後部から前方端部への順序で同時に送信し、
第１の装置は、前記データを、前方端部から後部への順序で第３の装置に送信し、第２の装置は、同じ前記データを、後部から前方端部への順序で前記第３の装置に送信し、
前記第３の装置は、前記データを前記パケットのサイズのデータバッファ内に格納し、該データバッファが満杯になったとき、前記第１および第２の装置へ信号を送信し、または、該データバッファが満杯になるまで、確認を送信することを停止する、ディジタルデータを送信する第３の方法と、
長さと前方端部と後部を有するディジタルデータのパケットを最初に２つの部分に分割しないで、前記ディジタルデータのパケットを、前方端部から後部へ、および後部から前方端部への順序で同時に送信し、
第１の装置は、データを、前方端部から後部への順序で第２の装置へ送信し、同時に逆の順序で第３の装置に送信する、ディジタルデータを送信する第４の方法と、
長さと前方端部と後部を有するディジタルデータのパケットを最初に２つの部分に分割しないで、前記ディジタルデータのパケットを、前方端部から後部へ、および後部から前方端部への順序で同時に送信し、
第１の装置は、データを、前方端部から後部への順序で第２の装置へ送信し、同時に逆の順序で第３の装置に送信し、
前記第２の装置と前記第３の装置は、受信すると直ちに、該第２および第３の装置が前記第１の装置から受け取ったデータを相互へ送信する、ディジタルデータを送信する第５の方法と、
長さと前方端部と後部を有するディジタルデータのパケットを最初に２つの部分に分割しないで、前記ディジタルデータのパケットを、前方端部から後部へ、および後部から前方端部への順序で同時に送信し、
第１の装置は、データを、前方端部から後部への順序で第２の装置へ送信し、同時に逆の順序で第３の装置に送信し、
前記第２の装置と前記第３の装置は、受信すると直ちに、該第２および第３の装置が前記第１の装置から受け取ったデータを相互へ送信し、
前記第２および第３の装置は、前記パケットのサイズのデータバッファを有し、受信されたデータは該データバッファに格納され、前記第２および第３の装置は、それぞれのデータバッファが満杯になったとき、前記第１の装置に信号を送る、ディジタルデータを送信する第６の方法とのうちの、いずれか１つの方法を用いて送信された、ディジタルデータを受信する方法であって、
データ蓄積手段を有する装置が、該データ蓄積手段内にディジタルデータのパケットのサイズのデータバッファを生成し、ディジタルデータの第１のストリームを受信し、同時にディジタルデータの第２のストリームを受信し、その受信において、前記装置は、前記ディジタルデータの第１のストリームによって前記データバッファを前部から後部へ満たし、前記ディジタルデータの第２のストリームによって前記データバッファを後部から前部へ満たす、ディジタルデータを受信する方法。
【請求項２】
前記装置は、データバッファが満杯になったとき、ディジタルデータの、単数または複数のストリーム源に通知をする、請求項１に記載の方法。
【請求項３】
長さと前方端部と後部を有するディジタルデータのパケットを最初に２つの部分に分割しないで、前記ディジタルデータのパケットを、前方端部から後部へ、および後部から前方端部への順序で同時に送信する、ディジタルデータを送信する第１の方法と、
長さと前方端部と後部を有するディジタルデータのパケットを最初に２つの部分に分割しないで、前記ディジタルデータのパケットを、前方端部から後部へ、および後部から前方端部への順序で同時に送信し、
第１の装置は、前記データを、前方端部から後部への順序で第３の装置に送信し、第２の装置は、同じ前記データを、後部から前方端部への順序で前記第３の装置に送信する、ディジタルデータを送信する第２の方法と、
長さと前方端部と後部を有するディジタルデータのパケットを最初に２つの部分に分割しないで、前記ディジタルデータのパケットを、前方端部から後部へ、および後部から前方端部への順序で同時に送信し、
第１の装置は、前記データを、前方端部から後部への順序で第３の装置に送信し、第２の装置は、同じ前記データを、後部から前方端部への順序で前記第３の装置に送信し、
前記第３の装置は、前記データを前記パケットのサイズのデータバッファ内に格納し、該データバッファが満杯になったとき、前記第１および第２の装置へ信号を送信し、または、該データバッファが満杯になるまで、確認を送信することを停止する、ディジタルデータを送信する第３の方法と、
長さと前方端部と後部を有するディジタルデータのパケットを最初に２つの部分に分割しないで、前記ディジタルデータのパケットを、前方端部から後部へ、および後部から前方端部への順序で同時に送信し、
第１の装置は、データを、前方端部から後部への順序で第２の装置へ送信し、同時に逆の順序で第３の装置に送信する、ディジタルデータを送信する第４の方法と、
長さと前方端部と後部を有するディジタルデータのパケットを最初に２つの部分に分割しないで、前記ディジタルデータのパケットを、前方端部から後部へ、および後部から前方端部への順序で同時に送信し、
第１の装置は、データを、前方端部から後部への順序で第２の装置へ送信し、同時に逆の順序で第３の装置に送信し、
前記第２の装置と前記第３の装置は、受信すると直ちに、該第２および第３の装置が前記第１の装置から受け取ったデータを相互へ送信する、ディジタルデータを送信する第５の方法と、
長さと前方端部と後部を有するディジタルデータのパケットを最初に２つの部分に分割しないで、前記ディジタルデータのパケットを、前方端部から後部へ、および後部から前方端部への順序で同時に送信し、
第１の装置は、データを、前方端部から後部への順序で第２の装置へ送信し、同時に逆の順序で第３の装置に送信し、
前記第２の装置と前記第３の装置は、受信すると直ちに、該第２および第３の装置が前記第１の装置から受け取ったデータを相互へ送信し、
前記第２および第３の装置は、前記パケットのサイズのデータバッファを有し、受信されたデータは該データバッファに格納され、前記第２および第３の装置は、それぞれのデータバッファが満杯になったとき、前記第１の装置に信号を送る、ディジタルデータを送信する第６の方法とのうちの、いずれか１つの方法を用いて送信された、ディジタルデータのパケットを受信するための装置であって、
ディジタルデータのパケットを格納するためのメモリ手段と、ディジタルデータの第１のストリームを受信して、それを前記メモリ手段の前部から開始して前記メモリに格納するための第１の受信手段と、ディジタルデータの第２のストリームを受信して、それを前記メモリ手段の後部から開始して前記メモリに格納するための第２の受信手段とを有する、ディジタルデータのパケットを受信するための装置。
【請求項４】
長さと前方端部と後部を有するディジタルデータのパケットを最初に２つの部分に分割しないで、前記ディジタルデータのパケットを、前方端部から後部へ、および後部から前方端部への順序で同時に送信する、ディジタルデータを送信する第１の方法と、
長さと前方端部と後部を有するディジタルデータのパケットを最初に２つの部分に分割しないで、前記ディジタルデータのパケットを、前方端部から後部へ、および後部から前方端部への順序で同時に送信し、
第１の装置は、前記データを、前方端部から後部への順序で第３の装置に送信し、第２の装置は、同じ前記データを、後部から前方端部への順序で前記第３の装置に送信する、ディジタルデータを送信する第２の方法と、
長さと前方端部と後部を有するディジタルデータのパケットを最初に２つの部分に分割しないで、前記ディジタルデータのパケットを、前方端部から後部へ、および後部から前方端部への順序で同時に送信し、
第１の装置は、前記データを、前方端部から後部への順序で第３の装置に送信し、第２の装置は、同じ前記データを、後部から前方端部への順序で前記第３の装置に送信し、
前記第３の装置は、前記データを前記パケットのサイズのデータバッファ内に格納し、該データバッファが満杯になったとき、前記第１および第２の装置へ信号を送信し、または、該データバッファが満杯になるまで、確認を送信することを停止する、ディジタルデータを送信する第３の方法と、
長さと前方端部と後部を有するディジタルデータのパケットを最初に２つの部分に分割しないで、前記ディジタルデータのパケットを、前方端部から後部へ、および後部から前方端部への順序で同時に送信し、
第１の装置は、データを、前方端部から後部への順序で第２の装置へ送信し、同時に逆の順序で第３の装置に送信する、ディジタルデータを送信する第４の方法と、
長さと前方端部と後部を有するディジタルデータのパケットを最初に２つの部分に分割しないで、前記ディジタルデータのパケットを、前方端部から後部へ、および後部から前方端部への順序で同時に送信し、
第１の装置は、データを、前方端部から後部への順序で第２の装置へ送信し、同時に逆の順序で第３の装置に送信し、
前記第２の装置と前記第３の装置は、受信すると直ちに、該第２および第３の装置が前記第１の装置から受け取ったデータを相互へ送信する、ディジタルデータを送信する第５の方法と、
長さと前方端部と後部を有するディジタルデータのパケットを最初に２つの部分に分割しないで、前記ディジタルデータのパケットを、前方端部から後部へ、および後部から前方端部への順序で同時に送信し、
第１の装置は、データを、前方端部から後部への順序で第２の装置へ送信し、同時に逆の順序で第３の装置に送信し、
前記第２の装置と前記第３の装置は、受信すると直ちに、該第２および第３の装置が前記第１の装置から受け取ったデータを相互へ送信し、
前記第２および第３の装置は、前記パケットのサイズのデータバッファを有し、受信されたデータは該データバッファに格納され、前記第２および第３の装置は、それぞれのデータバッファが満杯になったとき、前記第１の装置に信号を送る、ディジタルデータを送信する第６の方法とのうちの、いずれか１つの方法を用いて送信された、ディジタルデータのパケットを受信するためのソフトウエアであって、
ディジタルデータの第１のストリームを受信するための第１の受信ルーチンと、ディジタルデータの第２のストリームを同時に受信するための第２の受信ルーチンと、ディジタルデータの第１のストリームをメモリの前部から開始して後部に向かって前記メモリを満たしながら前記メモリに格納するための、第１の格納ルーチンと、ディジタルデータの第２のストリームを前記メモリの後部から開始して前部に向かって前記メモリを満たしながら前記メモリに格納するための、第２の格納ルーチンと、前記メモリが満杯になったときディジタルデータの受信を終了する停止ルーチンとを有する、ディジタルデータのパケットを受信するためのソフトウエア。